(57)【要約】      （修正有）【課題】壁面からの突出を極力抑制したタッチ式スイッチを提供する。【解決手段】タッチ式スイッチ１は、壁部Ｗの表側に位置するスイッチ本体１０と、壁部Ｗの裏側に位置するスイッチボックス２０からなる。スイッチ本体１０が、タッチ操作が行われるタッチパネル１１と、該タッチパネル１１の裏面に貼着されたセンサ電極と、該センサ電極に電気的に接続され、タッチ操作を検出するためのタッチ検出基板１２と、該タッチ検出基板１２からの情報に基づいて電気機器を制御する制御基板１３と、タッチパネル１１の裏面に取り付けられる。スイッチ本体１０は、タッチ検出基板１２と制御基板１３を収納するための収納部１５とを有する。タッチ検出基板１２と制御基板１３は、壁部Ｗの表面よりもスイッチボックス２０側に位置し、壁部Ｗの表面から、タッチパネル１１の表面までの距離が１０ｍｍ以下である。【選択図】図１（Ａ）
2019087345.tif 000002
【特許請求の範囲】
【請求項１】
壁部の表側に位置するスイッチ本体と、
前記壁部の裏側に位置するスイッチボックスと、
からなり、
前記スイッチ本体と前記スイッチボックスとが前記壁部に設けられた貫通孔を介して組付けられた電気機器を遠隔的に制御するためのタッチ式スイッチであって、
前記スイッチ本体が、
タッチ操作が行われるタッチパネルと、
該タッチパネルの裏面に貼着されたセンサ電極と、
該センサ電極に電気的に接続され、前記タッチ操作を検出するためのタッチ検出基板と、
該タッチ検出基板からの情報に基づいて前記電気機器を制御する制御基板と、
前記タッチパネルの裏面に取り付けられ、前記タッチ検出基板及び前記制御基板を収納するための収納部とを有し、
前記タッチ検出基板及び前記制御基板が前記壁部の表面よりも前記スイッチボックス側に位置しており、
前記壁部の表面から、前記タッチパネルの表面までの距離が１０ｍｍ以下であるタッチ式スイッチ。
【請求項２】
前記収納部が、
前記タッチ検出基板を収納すると共に、前記タッチパネルに貼着された第１収納部と、
前記第１収納部の裏側から該第１収納部に嵌合された第２収納部と、
前記制御基板を収納すると共に、前記第２収納部の裏側から該第２収納部に係合された第３収納部と、からなり、
前記第１収納部及び前記第２収納部が互いに着脱自在となっており、且つ、前記第２収納部及び前記第３収納部が互いに着脱自在となっている請求項１記載のタッチ式スイッチ。
【請求項３】
前記第２収納部が、該第２収納部の上側の端部から上方に延設された表側上支持部、及び、該第２収納部の下側の端部から下方に延設された表側下支持部を有しており、
前記スイッチボックスが、該スイッチボックスの上側の端部から下方に延設された裏側上支持部、及び、該スイッチボックスの下側の端部から上方に延設された裏側下支持部を有しており、
前記表側上支持部と前記裏側上支持部とが上側の前記壁部を挟持しており、
前記表側下支持部と前記裏側下支持部とが下側の前記壁部を挟持している請求項２記載のタッチ式スイッチ。
【請求項４】
前記表側上支持部には、一定の深さを有する上窪み部が設けられ、該上窪み部の底部には、第１上取付け穴が設けられ、
前記裏側上支持部には、第２上取付け穴が設けられ、
前記第１上取付け穴及び前記第２上取付け穴を介して、前記表側上支持部と前記裏側上支持部とが上側留め具により連結されており、
前記表側下支持部には、一定の深さを有する下窪み部が設けられ、該下窪み部の底部には、第１下取付け穴が設けられ、
前記裏側下支持部には、第２下取付け穴が設けられ、
前記第１下取付け穴及び前記第２下取付け穴を介して、前記表側下支持部と前記裏側下支持部とが下側留め具により連結されており、
前記上窪み部の底部及び前記下窪み部の底部がいずれも前記壁部の表面よりも前記スイッチボックス側に位置している請求項３記載のタッチ式スイッチ。
【請求項５】
前記上側留め具の全体及び前記下側留め具の全体がいずれも前記壁部の表面よりも前記スイッチボックス側に位置している請求項４記載のタッチ式スイッチ。
【請求項６】
前記電気機器が照明器具であり、
前記タッチパネルの裏面には、前記センサ電極を覆うように拡散板が更に貼着されており、
前記タッチ検出基板にはＬＥＤが更に実装され、
前記制御基板が、前記照明器具のＯＮ／ＯＦＦ並びに調光を制御するものであり、
前記タッチ操作を検出する方式が静電容量方式である請求項１〜５のいずれか１項に記載のタッチ式スイッチ。
【発明の詳細な説明】
【技術分野】
【０００１】
本発明は、タッチ式スイッチに関し、更に詳しくは、操作が簡単なタッチパネルを利用した電気機器を遠隔的に操作するためのタッチ式スイッチに関する。
【背景技術】
【０００２】
天井や壁部の上側等の離れた位置に設置される照明、換気扇等の電気機器は、直接触れて操作することが困難であるため、壁部の手近な位置に、いわゆるスイッチを取り付け固定し、当該スイッチにより遠隔的に操作されるようになっている。
【０００３】
ところで、近年、かかるスイッチとして、操作が簡単なタッチパネルを利用したいわゆるタッチ式スイッチが開発されている。
例えば、両端側にねじ孔が設けられた固定枠に固定されるケース本体と、両端のねじ孔と対向するように配設されるタッチ基板と、タッチ基板の表面側に配設される操作パネルと、タッチ基板の裏面側に配設されるコネクタ部とを有するタッチ基板ユニット、及び、伝送部を具備した遠隔制御用監視端末器が知られている（例えば、特許文献１参照）。
また、被固定部に対して固定具により取り付けるための取付孔を備えたサポートと、取付孔を含むサポートの前側を覆う大きさで、サポートの前側に対して開閉可能に設けられた操作部と、サポートに設けられた制御回路部と、操作部の後側に設けられ、操作部をサポートに対して閉じた状態で固定具の端部側とタッチセンサ用電極側との間に空気層を区画する空気層区画凹部と、を具備する壁スイッチ装置が知られている（例えば、特許文献２参照）。
【先行技術文献】
【特許文献】
【０００４】
【特許文献１】特許第５２３４３４３号公報
【特許文献２】特許第５２８２９０４号公報
【発明の概要】
【発明が解決しようとする課題】
【０００５】
しかしながら、上記特許文献１記載の遠隔制御用監視端末器においては、タッチ基盤ユニット、固定枠及びねじが壁面から突出した構造となっており、また、上記特許文献２記載の壁スイッチ装置においては、操作部、サポート及び固定具が壁面から突出した構造となっているため、通行人が壁面に沿って歩行した場合に、これらの突出した部分に接触或いは衝突する恐れがある。
そうすると、通行人がその突出した部分に引っ掛かって怪我をする恐れがあり、一方で、これらの突出した部分は破損する恐れがある。
また、タッチ式スイッチが壁部の壁面から、壁部の表側に向けて突出した構造となっているのは、意匠性の観点からも必ずしも好ましくない。
【０００６】
本発明は、上記事情に鑑みてなされたものであり、壁面からの突出を極力抑制したタッチ式スイッチを提供することを目的とする。
【課題を解決するための手段】
【０００７】
本発明者は、上記課題を解決するため鋭意検討したところ、タッチ検出基板及び制御基板を収納するための収納部の構造を工夫して、タッチ検出基板及び制御基板が壁部の表面よりもスイッチボックス側に位置するようにし、且つ、壁部の表面から、タッチパネルの表面までの距離を１０ｍｍ以下とすることにより、上記課題を解決できることを見出し、本発明を完成させるに至った。
【０００８】
本発明は、（１）壁部の表側に位置するスイッチ本体と、壁部の裏側に位置するスイッチボックスと、からなり、スイッチ本体とスイッチボックスとが壁部に設けられた貫通孔を介して組付けられた電気機器を遠隔的に制御するためのタッチ式スイッチであって、スイッチ本体が、タッチ操作が行われるタッチパネルと、該タッチパネルの裏面に貼着されたセンサ電極と、該センサ電極に電気的に接続され、タッチ操作を検出するためのタッチ検出基板と、該タッチ検出基板からの情報に基づいて電気機器を制御する制御基板と、タッチパネルの裏面に取り付けられ、タッチ検出基板及び制御基板を収納するための収納部とを有し、タッチ検出基板及び制御基板が壁部の表面よりもスイッチボックス側に位置しており、壁部の表面から、タッチパネルの表面までの距離が１０ｍｍ以下であるタッチ式スイッチに存する。
【０００９】
本発明は、（２）収納部が、タッチ検出基板を収納すると共に、タッチパネルに貼着された第１収納部と、第１収納部の裏側から該第１収納部に嵌合された第２収納部と、制御基板を収納すると共に、第２収納部の裏側から該第２収納部に係合された第３収納部と、からなり、第１収納部及び第２収納部が互いに着脱自在となっており、且つ、第２収納部及び第３収納部が互いに着脱自在となっている上記（１）記載のタッチ式スイッチに存する。
【００１０】
本発明は、（３）第２収納部が、該第２収納部の上側の端部から上方に延設された表側上支持部、及び、該第２収納部の下側の端部から下方に延設された表側下支持部を有しており、スイッチボックスが、該スイッチボックスの上側の端部から下方に延設された裏側上支持部、及び、該スイッチボックスの下側の端部から上方に延設された裏側下支持部を有しており、表側上支持部と裏側上支持部とが上側の壁部を挟持しており、表側下支持部と裏側下支持部とが下側の壁部を挟持している上記（２）記載のタッチ式スイッチに存する。
【００１１】
本発明は、（４）表側上支持部には、一定の深さを有する上窪み部が設けられ、該上窪み部の底部には、第１上取付け穴が設けられ、裏側上支持部には、第２上取付け穴が設けられ、第１上取付け穴及び第２上取付け穴を介して、表側上支持部と裏側上支持部とが上側留め具により連結されており、表側下支持部には、一定の深さを有する下窪み部が設けられ、該下窪み部の底部には、第１下取付け穴が設けられ、裏側下支持部には、第２下取付け穴が設けられ、第１下取付け穴及び第２下取付け穴を介して、表側下支持部と裏側下支持部とが下側留め具により連結されており、上窪み部の底部及び下窪み部の底部がいずれも壁部の表面よりもスイッチボックス側に位置している上記（３）記載のタッチ式スイッチに存する。
【００１２】
本発明は、（５）上側留め具の全体及び下側留め具の全体がいずれも壁部の表面よりもスイッチボックス側に位置している上記（４）記載のタッチ式スイッチに存する。
【００１３】
本発明は、（６）電気機器が照明器具であり、タッチパネルの裏面には、センサ電極を覆うように拡散板が更に貼着されており、タッチ検出基板にはＬＥＤが更に実装され、制御基板が、照明器具のＯＮ／ＯＦＦ並びに調光を制御するものであり、タッチ操作を検出する方式が静電容量方式である上記（１）〜（５）のいずれか１つに記載のタッチ式スイッチに存する。
【発明の効果】
【００１４】
本発明のタッチ式スイッチは、スイッチ本体とスイッチボックスとが壁部に設けられた貫通孔を介して組付けられた構成となっているので、スイッチボックスに対して、スイッチ本体を着脱することが可能となっている。このため、必要に応じてスイッチ本体のみを交換することが可能である。
【００１５】
本発明のタッチ式スイッチは、スイッチ本体が、タッチパネルと、センサ電極と、タッチ検出基板とを有するいわゆるタッチパネルを採用しているので、操作が簡単であり、内蔵する基板によっては多彩な操作性を実現することができる。
【００１６】
本発明のタッチ式スイッチにおいては、タッチ検出基板及び制御基板が、壁部の表面よりもスイッチボックス側に位置しているので、壁面からのスイッチ本体の突出を極力抑制することが可能となる。
そして、壁部の表面から、タッチパネルの表面までの距離を１０ｍｍ以下とすることにより、通行人が壁面に沿って歩行した場合であっても、これらの突出した部分に衝突する可能性を極めて低くすることができる。
また、通行人の衝突を回避できるため、タッチ式スイッチの破損も防止できる。
【００１７】
本発明のタッチ式スイッチにおいては、上述したように、壁面からのスイッチ本体の突出が抑制されているので、意匠性にも優れる。
【００１８】
本発明のタッチ式スイッチにおいては、収納部が、タッチパネルに貼着された第１収納部と、第１収納部の裏側から該第１収納部に嵌合された第２収納部と、第２収納部の裏側から該第２収納部に係合された第３収納部と、からなるものとし、第１収納部にタッチ検出基板を収納し、第３収納部に制御基板を収納することにより、タッチ検出基板と制御基板とが干渉することによるノイズが発生することを防止することができる。
また、第１収納部及び第２収納部を着脱自在とし、且つ、第２収納部及び第３収納部を着脱自在とすることにより、部品の交換や基板のメンテナンスを容易に行うことができる。
【００１９】
本発明のタッチ式スイッチにおいては、第２収納部に延設された表側上支持部とスイッチボックスに延設された裏側上支持部とが上側の壁部を挟持し、第２収納部に延設された表側下支持部とスイッチボックスに延設された裏側下支持部とが下側の壁部を挟持した構造とすることにより、タッチ式スイッチを壁部に確実に固定することができる。
【００２０】
本発明のタッチ式スイッチにおいては、表側上支持部と裏側上支持部とを上側留め具により連結する際の第１上取付け穴を、表側上支持部の上窪み部の底部に設けることにより、上側留め具のタッチパネル側には上窪み部の深さの分だけ一定の空間を形成することができる。
同様に、表側下支持部と裏側下支持部とを下側留め具により連結する際の第１下取付け穴を、表側下支持部の下窪み部の底部に設けることにより、下側留め具のタッチパネル側には下窪み部の深さの分だけ一定の空間を形成することができる。
これらのことにより、上側留め具及び下側留め具と、タッチパネル及びセンサ電極とが干渉することによるノイズが発生することを防止することができる。
【００２１】
このとき、本発明のタッチ式スイッチにおいては、上窪み部の底部及び下窪み部の底部が、いずれも壁部の表面よりもスイッチボックス側に位置するようにすることにより、上述した干渉のよるノイズの発生をより防止することができる。
【００２２】
本発明のタッチ式スイッチにおいては、上述したタッチ検出基板及び制御基板だけでなく、上側留め具の全体及び下側留め具の全体も壁部の表面よりもスイッチボックス側に位置するようにすることにより、上述した干渉のよるノイズの発生を確実に防止することが可能となる。
また、このことにより壁面からのスイッチ本体の突出をより抑制することが可能となる。
【００２３】
本発明のタッチ式スイッチは、照明器具のタッチ式スイッチとして好適に用いることができる。
このとき、制御基板が、照明器具のＯＮ／ＯＦＦ並びに調光を制御するものである場合、簡単なタッチ操作で、照明器具をコントロールすることが可能となる。
また、タッチパネルの裏面に、センサ電極を覆うように拡散板が更に貼着されており、タッチ検出基板にはＬＥＤが更に実装されている場合、タッチ操作に応じて、当該ＬＥＤにより、タッチパネルを点灯させることができる。また、点灯の状態を変化させることも可能である。
なお、タッチ操作を検出する方式としては、静電容量方式が好適に採用される。
【図面の簡単な説明】
【００２４】
【図１（Ａ）】図１（Ａ）は、本発明に係るタッチ式スイッチの一実施形態をｙｚ平面で切断した断面図である。
【図１（Ｂ）】図１（Ｂ）は、図１（Ａ）の分解図である。
【図１（Ｃ）】図１（Ｃ）は、図１（Ａ）の正面図である。
【図２】図２は、本実施形態に係るタッチ式スイッチのタッチパネルを示す概略側面図である。
【図３】図３の（ａ）は、本実施形態に係るタッチ式スイッチのスペーサーを示す正面図であり、（ｂ）は、その側面図である。
【図４】図４の（ａ）は、本実施形態に係るタッチ式スイッチの第１収納部を示す正面図であり、（ｂ）は、それをＡ−Ａ線で切断した断面図である。
【図５】図５の（ａ）は、本実施形態に係るタッチ式スイッチの第２収納部を示す正面図であり、（ｂ）は、それをＢ−Ｂ線で切断した断面図である。
【図６】図６は、本実施形態に係るタッチ式スイッチの第３収納部を示す正面図である。
【発明を実施するための形態】
【００２５】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２６】
本発明に係るタッチ式スイッチは、部屋の天井や壁部の上側等の離れた位置に設置される電気機器を、遠隔的に制御するために、部屋の壁部の手近な位置に取り付けて用いられる。
かかる電気機器としては、スイッチにより制御される従来の電気機器であれば、特に限定されない。例えば、照明、換気扇、給湯器操作パネル、床暖房操作パネル、電動カーテン操作パネル、インターホン操作パネル、ホームセキュリティー操作パネル、その他、住宅内の集合スイッチ等の電気機器に採用できる。
【００２７】
図１（Ａ）は、本発明に係るタッチ式スイッチの一実施形態をｙｚ平面で切断した断面図であり、図１（Ｂ）は、図１（Ａ）の分解図であり、図１（Ｃ）は、図１（Ａ）の正面図である。
図１（Ａ）に示すように、本実施形態に係るタッチ式スイッチ１は、壁部Ｗの表側に位置するスイッチ本体１０と、壁部Ｗの裏側に位置するスイッチボックス２０と、からなる。
なお、本明細書においては、壁部Ｗの部屋側を壁部Ｗの表側とし、壁部Ｗの内部側を壁部Ｗの裏側としている。また、壁部Ｗの表側の面を表面とし、裏側の面を裏面としている。
さらに、必要に応じて、タッチ式スイッチを表面から見た横方向をｘ軸とし、ｘ軸に直交し、タッチ式スイッチを表面から見た縦方向をｙ軸とし、ｘｙ平面に直交する方向をｚ軸とする。
【００２８】
本実施形態に係るタッチ式スイッチ１においては、スイッチ本体１０に対してタッチ操作が行われる。そして、そのタッチ操作に基づいて、電気機器が制御されるようになっている。
なお、タッチ式スイッチ１においては、タッチ操作を検出する方式が、静電容量の変化を捉えて位置を検出するいわゆる静電容量方式となっている。
【００２９】
図１（Ｂ）に示すように、タッチ式スイッチ１は、スイッチ本体１０とスイッチボックス２０とが壁部Ｗに設けられた貫通孔Ｗ１を介して組付けられている。
すなわち、スイッチ本体１０が壁部Ｗ１の表面に当接されると共に、スイッチボックス２０が壁部Ｗ１の裏面に当接されている。このとき、スイッチ本体１０の一部は、貫通孔Ｗ１に挿入され、挿入されたスイッチ本体１０の一部がスイッチボックス２０に収容されている。
そして、スイッチ本体１０とスイッチボックス２０とがｚ軸方向に沿って組付けられている。なお、組み付けの方法については後述する。
また、タッチ式スイッチ１においては、スイッチボックス２０に対して、スイッチ本体１０を着脱することが可能となっている。このため、必要に応じてスイッチ本体１０のみを交換することが可能である。
【００３０】
図１（Ｃ）に示すように、タッチ式スイッチ１及び貫通孔Ｗ１は、いずれも壁部Ｗの表面から見て、矩形状となっている。
また、貫通孔Ｗ１は、スイッチ本体１０のタッチパネル及びスイッチボックス２０により表裏が完全に覆われているため、壁部Ｗの表面又は裏面からは貫通孔Ｗ１は見えなくなっている。
【００３１】
図１（Ａ）に戻り、上述したように、タッチ式スイッチ１は、スイッチ本体１０の一部が壁部Ｗの表面から部屋側に突出し、スイッチボックス２０が壁部Ｗの裏面から壁部Ｗの内部側に突出した構造となっている。
ここで、タッチ式スイッチ１においては、後述するように、タッチ検出基板及び制御基板が、壁部Ｗの表面よりもスイッチボックス側（壁部Ｗの内部側）に位置しているので、壁部Ｗの表面からスイッチ本体１０が突出する距離を極力小さくすることができる。なお、これらの詳細については後述する。
【００３２】
このとき、壁部Ｗの表面から、後述するタッチパネル１１の表面までの最短の距離Ｈ１は、１０ｍｍ以下である。
これにより、通行人が壁面（壁部Ｗの表面）に沿って歩行した場合であっても、これらの突出した部分に衝突する可能性を極めて低くすることができる。
また、通行人の衝突を回避できるため、タッチ式スイッチ１の破損も防止できる。
さらに、壁面からのスイッチ本体の突出が抑制されているので、意匠性にも優れる。
なお、上記距離Ｈ１は、９ｍｍ以下であることが好ましく、１ｍｍ〜８ｍｍであることがより好ましい。
【００３３】
一方、壁部Ｗの裏面から、スイッチボックス２０の裏面までの最短の距離Ｈ２は、特に限定されない。例えば、いわゆる浅型、深型等、公知の規格に基づいて適宜設定される。
壁部Ｗの裏面から、後述するスイッチ本体１０の収納部（第３収納部）の裏面までの最短の距離Ｈ３は、４０ｍｍ以下であることが好ましい。この場合、スイッチ本体１がコンパクトとなるので、取付けが容易となる。
なお、上記距離Ｈ３は、施工性の観点から、３６ｍｍ以下とすることがより好ましい。
【００３４】
スイッチ本体１０は、タッチ操作が行われるタッチパネル１１と、該タッチパネル１１の裏面に貼着された図示しないセンサ電極と、タッチ操作を検出するためのタッチ検出基板１２と、タッチ検出基板１２を位置固定するためのスペーサー１４と、タッチ検出基板１２からの情報に基づいて電気機器を制御する制御基板１３と、タッチパネル１１の裏面に取り付けられ、タッチ検出基板１２及び制御基板１３を収納するための収納部１５とを有する。
【００３５】
タッチパネル１１は、平板状であり、その表面でタッチ操作が行われる。
図２は、本実施形態に係るタッチ式スイッチのタッチパネルを示す概略側面図である。
図２に示すように、タッチパネル１１は、その裏面に、センサ電極１１ａが貼着されており、当該センサ電極１１ａを覆うように拡散板１１ｂが更に貼着されている。なお、図２において、タッチパネル１１の裏面と、センサ電極１１ａ及び拡散板１１ｂとの間には便宜的に段差が描かれているが、センサ電極１１ａ及び拡散板１１ｂは極めて肉薄のものであるため、実際は略面一となっている。
かかる貼着の方法は、特に限定されず、接着剤や両面テープ等を適宜採用できる。
タッチ式スイッチ１においては、タッチパネル１１の裏面にセンサ電極１１ａが貼着されているので、タッチパネル１１の表面でタッチ操作が行われることにより、静電容量が変化することになる。
【００３６】
ここで、タッチ式スイッチ１においては、意匠性を向上させるため、タッチパネルに塗料が付与されていてもよい。
なお、センサ電極１１ａの誤動作防止のため、塗料としては、電気絶縁塗料が好適に用いられる。
【００３７】
タッチ検出基板１２は、タッチ操作を検出するための基板である。
タッチ検出基板１２は、図示しないフレキシブル基板を介して、センサ電極１１ａに電気的に接続されている。このため、タッチ操作により静電容量が変化すると、センサ電極１１ａがそれを検出することになる。
また、タッチ検出基板１２は、コネクタ１２ａを有しており、該コネクタ１２ａを介して、制御基板１３に連結されている（図１（Ａ）参照）。このため、タッチ検出基板１２は、タッチ操作を検出すると、その検出信号を制御基板１３に送信することになる。
【００３８】
タッチ式スイッチ１においては、タッチ検出基板１２に更に図示しないＬＥＤが実装されている。
ここで、上述したようにタッチ式スイッチの裏面には拡散板１１ｂが貼着されているので、当該ＬＥＤを点灯させると、拡散板１１ｂを介して、タッチパネル１１全体を照らすことができる。
また、例えば、タッチ操作に応じて、ＬＥＤの点灯の状態を変化させることもできる。
これらのことから、タッチ操作に対する検出の状況を、タッチパネル１１を照らすことで当該タッチ操作を行う操作者に知らせることができる。
【００３９】
スペーサー１４は、タッチパネル１１のセンサ電極１１ａとタッチ検出基板１２との間に配置される。
図３の（ａ）は、本実施形態に係るタッチ式スイッチのスペーサーを示す正面図であり、（ｂ）は、その側面図である。
図３の（ａ）及び（ｂ）に示すように、スペーサー１４は、ｘｙ平面に配置され支柱と踏残とからなる梯子状の基部１４ａと、該支柱の四隅から鉛直方向（ｚ軸方向）に延びる４本の長リブ１４ｂと、踏残の中腹から鉛直方向（ｚ軸方向）に延びる短リブ１４ｃとからなる。
【００４０】
スペーサー１４は、基部１４ａがセンサ電極１１ａの裏面、より詳しくは、拡散板１１ｂの裏面に当接されており、長リブ１４ｂの先端がタッチ検出基板１２に当接されている。なお、短リブ１４ｃは、タッチ検出基板１２とは当接されていない（図１（Ａ）参照）。
したがって、タッチ検出基板１２は、後述する第１収納部に嵌合されることでｘｙ平面方向が拘束され、タッチ検出基板１２の四隅がスペーサー１４により第１収納部側に押圧されることでｚ軸方向が拘束されることになる。
このように、タッチ検出基板１２は、位置固定されるので、動くことにより誤作動を引き起こすことを防止することができる。
また、スペーサー１４の長リブ１４ｂにより、センサ電極１１ａとタッチ検出基板１２との間には、十分な距離が担保されることになるので、センサ電極１１ａとタッチ検出基板１２との干渉によるノイズが発生することを防止することができる。
【００４１】
これに加え、スペーサー１４は、短リブ１４ｃを有しているので、仮に、長リブ１４ｂが衝撃等により折れた場合であっても、センサ電極１１ａとタッチ検出基板１２とが干渉することを防止することができる。
また、短リブ１４ｃを、タッチ検出基板１２上の電子部品や回路等と干渉しない位置に配することにより、仮に、長リブ１４ｂが衝撃等により折れた場合であっても、タッチ検出基板１２が破損することを防止することができる。
【００４２】
図１（Ａ）に戻り、制御基板１３は、タッチ検出基板１２からの情報に基づいて電気機器を制御するための基板である。
例えば、電気機器が照明器具である場合、制御基板１３は、照明器具のＯＮ／ＯＦＦ、並びに、照明の明るさを調節する、いわゆる調光を制御することができる。
制御基板１３は、上述したように、コネクタ１２ａを介して、タッチ検出基板１２と電気的に接続されているので、タッチ検出基板１２からの検出信号に基づいて、電気機器を制御する。
【００４３】
収納部１５は、タッチパネル１１の裏面に取り付けられ、タッチ検出基板１２及び制御基板１３を収納している。
具体的には、収納部１５は、タッチパネル１１に貼着された第１収納部１５ａと、第１収納部１５ａの裏側から該第１収納部１５ａに嵌合された第２収納部１５ｂと、第２収納部１５ｂの裏側から該第２収納部１５ｂに係合された第３収納部１５ｃと、からなる。
そして、第１収納部１５ａにはタッチ検出基板１２が収納され、第３収納部１５ｃに制御基板１３が収納されている。
このように、タッチ式スイッチ１においては、タッチ検出基板１２が収納された第１収納部１５ａと、制御基板１３が収納された第３収納部１５ｃとの間に、敢えて、第２収納部１５ｂを設けているので、タッチ検出基板１２と制御基板１３とが干渉することによるノイズが発生することを防止することができる。
【００４４】
図４の（ａ）は、本実施形態に係るタッチ式スイッチの第１収納部を示す正面図であり、（ｂ）は、それをＡ−Ａ線で切断した断面図である。
図４の（ａ）及び（ｂ）に示すように、第１収納部１５ａは、第１収納部１５ａの周縁からｘｙ平面方向に延設された貼着部１５ａ１を有している。換言すると、ｘｙ平面方向に位置する貼着部１５ａ１の中心部に、ｚ軸方向のスイッチボックス２０側に凹んだ第１収納部１５ａが設けられている。
【００４５】
タッチ式スイッチ１においては、貼着部１５ａ１が、タッチパネル１１の裏面に貼着されている。これにより、第１収納部１５ａがタッチパネル１１に取り付けられる。
かかる貼着の方法は、特に限定されず、接着剤や両面テープ等を適宜採用できる。
また、上述したように、第１収納部１５ａには、タッチ検出基板１２が嵌合され収納されている。なお、タッチパネル１１とタッチ検出基板１２との間の第１収納部１５ａにはスペーサー１４が配置される。
このとき、第１収納部１５ａが貼着部１５ａ１よりもｚ軸方向のスイッチボックス２０側に凹んだ構造となっているので、これに嵌合されるタッチ検出基板１２は、壁部Ｗの表面よりもスイッチボックス２０側に位置することになる（図１（Ａ）参照）。これにより、壁部Ｗの表面からのスイッチ本体１０の突出を抑制することが可能となる。
【００４６】
図５の（ａ）は、本実施形態に係るタッチ式スイッチの第２収納部を示す正面図であり、（ｂ）は、それをＢ−Ｂ線で切断した断面図である。
図５の（ａ）及び（ｂ）に示すように、第２収納部１５ｂは、第２収納部１５ｂの上側の端部から上方に延設された表側上支持部１５ｂ１、及び、第２収納部１５ｂの下側の端部から下方に延設された表側下支持部１５ｂ２を有している。換言すると、ｘｙ平面方向に位置する表側上支持部１５ｂ１と表側下支持部１５ｂ２との間に、ｚ軸方向のスイッチボックス２０側に凹んだ第２収納部１５ｂが設けられている。
【００４７】
タッチ式スイッチ１においては、第２収納部１５ｂが、第１収納部１５ａの裏側から当該第１収納部１５ａに嵌合されている。これにより、第２収納部１５ｂが第１収納部１５ａに取り付けられる。なお、第１収納部１５ａ及び第２収納部１５ｂは、互いに着脱自在となっているため、部品の交換やメンテナンス等を容易に行うことが可能となっている。
【００４８】
タッチ式スイッチ１においては、表側上支持部１５ｂ１に、ｚ軸方向のスイッチボックス２０側に凹んだ一定の深さを有する上窪み部３１が設けられ、表側下支持部１５ｂ２に、ｚ軸方向のスイッチボックス２０側に凹んだ一定の深さを有する下窪み部３２が設けられている。
そして、上窪み部３１の底部３１ａには、第１上取付け穴３１ａ１が設けられ、下窪み部３２の底部３２ａには、第１下取付け穴３２ａ１が設けられている。
【００４９】
上窪み部３１の底部３１ａ及び下窪み部３２の底部３２ａはいずれも、中心に行くほど深くなる方向に傾斜したテーパー状となっている。
これにより、後述するように、第１上取付け穴３１ａ１に上側留め具を取り付ける際に、底部３１ａが上側留め具を第１上取付け穴３１ａ１に誘導するので、上側留め具を取り付け易くなる。同様に、第１下取付け穴３２ａ１に下側留め具を取り付ける際に、底部３２ａが下側留め具を第１下取付け穴３２ａ１に誘導するので、下側留め具を取り付け易くなる。
【００５０】
タッチ式スイッチ１においては、上側留め具が留められる上窪み部３１の底部３１ａと、下側留め具が留められる下窪み部３２の底部３２ａとが、いずれも壁部Ｗの表面よりもスイッチボックス２０側に位置するようになっている（図１（Ａ）参照）。
また、上側留め具の全体及び下側留め具の全体がいずれも壁部Ｗの表面よりもスイッチボックス２０側に位置するようになっている。
これにより、留め具と、タッチパネル１１及びセンサ電極１１ａとの間には一定の距離が設けられることになるので、両者が互いに干渉することによるノイズの発生を十分に抑制することができる。
【００５１】
具体的には、タッチ式スイッチ１においては、第１上取付け穴３１ａ１に取り付けた上側留め具と、タッチパネル１１との間には、上側窪み部３１の深さＨ４の分だけ空間が生じるので、上側留め具とタッチパネル１１及びセンサ電極１１ａとが干渉することによるノイズの発生をより抑制することができる。
同様に、第１下取付け穴３２ａ１に取り付けた下側留め具と、タッチパネル１１との間には、下側窪み部３２の深さＨ４の分だけ空間が生じるので、下側留め具とタッチパネル１１及びセンサ電極１１ａとが干渉することによるノイズの発生をより抑制することができる。
【００５２】
ここで、表側上支持部１５ｂ１の表面から上窪み部３１の底部３１ａまでの深さＨ４は５ｍｍ以上であり、表側下支持部１５ｂ２の表面から下窪み部３２の底部３２ａまでの深さＨ４は５ｍｍ以上であることが好ましい。
【００５３】
図６は、本実施形態に係るタッチ式スイッチの第３収納部を示す正面図である。
図６に示すように、第３収納部１５ｃは、箱状であり、その底部に複数のチャンネル１５ｃ１，１５ｃ２，１５ｃ３，１５ｃ４が設けられている。
これらのチャンネルは、電源や他のスイッチ等との連絡のために用いられる。
【００５４】
タッチ式スイッチ１においては、第３収納部１５ｃが、第２収納部１５ｂの裏側のｚ軸方向のスイッチボックス２０側に延びる一対のリブ３５（図５の（ｂ）参照）により挟持されるように、第２収納部１５ｂの裏側から係合されている。これにより、第３収納部１５ｃが第２収納部１５ｂに取り付けられる。なお、第２収納部１５ｂ及び第３収納部１５ｃは、互いに着脱自在となっているため、部品の交換や基板のメンテナンス等を容易に行うことが可能となっている。
【００５５】
上述したように、タッチ式スイッチ１においては、第３収納部１５ｃに、制御基板１３が嵌合され収納されている。なお、制御基板１３は、チャンネル１５ｃ１，１５ｃ２，１５ｃ３，１５ｃ４の表面側に配置される。
このとき、第３収納部１５ｃに嵌合される制御基板１３は、壁部Ｗの表面よりもスイッチボックス２０側に位置している（図１（Ａ）参照）。これにより、壁部Ｗの表面からのスイッチ本体１０の突出を抑制することが可能となる。
【００５６】
図１（Ａ）に戻り、スイッチボックス２０は、大型の箱状であり、収納部１５の一部を収納する。
スイッチボックス２０は、スイッチボックス２０の上側の端部から下方に延設された裏側上支持部２１、及び、スイッチボックスの下側の端部から上方に延設された裏側下支持部２２を有している。すなわち、スイッチボックス２０は、断面が側面視でＣ字状となっている。
また、裏側上支持部２１には、第２上取付け穴２１ａが設けられ、裏側下支持部２２には、第２下取付け穴２２ａが設けられている。
【００５７】
タッチ式スイッチ１においては、第２収納部１５ｂの表側上支持部１５ｂ１と、スイッチボックス２０の裏側上支持部２１とが上側の壁部Ｗを挟持しており、第２収納部１５ｂの表側下支持部１５ｂ２と、スイッチボックス２０の裏側下支持部２２とが下側の壁部Ｗを挟持している。
【００５８】
これに加え、表側上支持部１５ｂ１の第１上取付け穴３１ａ１と、裏側上支持部２１の第２上取付け穴２１ａとは、上側留め具４１により連結されており、表側下支持部１５ｂ２の第１下取付け穴３２ａ１と、裏側下支持部２２の第２下取付け穴２２ａとは、下側留め具４２により連結されている。なお、かかる上側留め具４１又は下側留め具４２としては、特に限定されないが、例えば、ネジ、ピン等を採用することができる。
これらのことにより、タッチ式スイッチ１においては、壁部Ｗに簡単に取り付けることができると共に、壁部Ｗに対して確実に固定することができる。
また、タッチ式スイッチ１においては、上述したタッチ検出基板１２及び制御基板１３だけでなく、上側留め具４１及び下側留め具４２も壁部Ｗの表面よりもスイッチボックス２０側に位置している。これにより、壁部Ｗの表面からのスイッチ本体１０の突出をより抑制することが可能となる。
【００５９】
以上、本発明の好適な実施形態について説明したが、本発明は上記実施形態に限定されるものではない。
【００６０】
本実施形態に係るタッチ式スイッチ１においては、タッチ操作を検出する方式が、静電容量方式となっているが、これに限定されない。例えば、抵抗膜方式、表面弾性波方式、赤外線方式、電磁誘導方式等であってもよい。
【００６１】
本実施形態に係るタッチ式スイッチ１において、スイッチ本体１０は、タッチ検出基板１２を位置固定するためのスペーサー１４を備えているが、当該スペーサー１４は必ずしも必須の構成ではない。
【００６２】
本実施形態に係るタッチ式スイッチ１において、タッチパネル１１の裏面に、拡散板１１ｂが貼着されており、タッチ検出基板１２にはＬＥＤが実装されているが、これらは必ずしも必須の構成ではない。
【００６３】
本実施形態に係るタッチ式スイッチ１において、収納部１５は、第１収納部１５ａと、第２収納部１５ｂと、第３収納部１５ｃとに分割された構造となっているが、収納されるタッチ検出基板１２及び制御基板１３が壁部Ｗの表面よりもスイッチボックス２０側に位置する構造であれば、これに限定されない。
例えば、収納部１５は、タッチパネル１１に貼着された１つの箱状であってもよく、更に複数の収納部に分割されたものであってもよい。
また、各収納部の構造も特に限定されない。
【００６４】
本実施形態に係るタッチ式スイッチ１は、１つの照明器具に対して、複数が設置されていてもよい。
例えば、１つの照明器具に対して、親機としてのタッチ式スイッチと、子機としてのタッチ式スイッチが設置されており、親機、子機のいずれからでも、ＯＮ／ＯＦＦ並びに調光を制御することが可能となっていてもよい。
【産業上の利用可能性】
【００６５】
本発明のタッチ式スイッチは、電気機器を遠隔的に操作するための装置として用いられる。
本発明のタッチ式スイッチによれば、壁面からの突出を極力抑制することができる。
【符号の説明】
【００６６】
１・・・タッチ式スイッチ
１０・・・スイッチ本体
１１・・・タッチパネル
１１ａ・・・センサ電極
１１ｂ・・・拡散板
１２・・・タッチ検出基板
１２ａ・・・コネクタ
１３・・・制御基板
１４・・・スペーサー
１４ａ・・・基部
１４ｂ・・・長リブ
１４ｃ・・・短リブ
１５・・・収納部
１５ａ・・・第１収納部
１５ａ１・・・貼着部
１５ｂ・・・第２収納部
１５ｂ１・・・表側上支持部
１５ｂ２・・・表側下支持部
１５ｃ・・・第３収納部
１５ｃ１，１５ｃ２，１５ｃ３，１５ｃ４・・・チャンネル
２０・・・スイッチボックス
２１・・・裏側上支持部
２１ａ・・・第２上取付け穴
２２・・・裏側下支持部
２２ａ・・・第２下取付け穴
３１・・・上窪み部
３１ａ・・・上窪み部の底部
３１ａ１・・・第１上取付け穴
３２・・・下窪み部
３２ａ・・・下窪み部の底部
３２ａ１・・・第１下取付け穴
３５・・・リブ
４１・・・上側留め具
４２・・・下側留め具
Ｈ１，Ｈ２，Ｈ３・・・距離
Ｈ４・・・深さ
Ｗ・・・壁部
Ｗ１・・・貫通孔
【図１（Ａ）】
2019087345.tif 000003
【図１（Ｂ）】
2019087345.tif 000004
【図１（Ｃ）】
2019087345.tif 000005
【図２】
2019087345.tif 000006
【図３】
2019087345.tif 000007
【図４】
2019087345.tif 000008
【図５】
2019087345.tif 000009
【図６】
2019087345.tif 000010